(57)【特許請求の範囲】
【請求項１】
第１交流系統と直流回路との間で電力変換を行なう第１電力変換器と、
第２交流系統と前記直流回路との間で電力変換を行なう第２電力変換器とを備え、
前記第１電力変換器および前記第２電力変換器の各々は、直列接続された複数のサブモジュールを含み、
前記サブモジュールは、複数のスイッチング素子と、コンデンサとを有し、
前記第１交流系統の第１基本周波数は、前記第２交流系統の第２基本周波数よりも大きく、
前記第１電力変換器に含まれる第１サブモジュール内のコンデンサの第１平均電圧値は、前記第２電力変換器に含まれる第２サブモジュール内のコンデンサの第２平均電圧値よりも大きく、
前記第１平均電圧値は、前記第２平均電圧値に、前記第２サブモジュール内のコンデンサのリップル電圧と前記第１サブモジュール内のコンデンサのリップル電圧との差分値を加算した値である、電力変換システム。
【請求項２】
前記第１電力変換器内の複数の前記第１サブモジュールの各々を制御する第１制御装置をさらに備え、
前記第１電力変換器のアームに含まれる複数の前記第１サブモジュールのうち、１以上の第１サブモジュールが故障した場合、前記第１制御装置は、故障した前記１以上の第１サブモジュールの数に基づいて、前記アームに含まれる各前記第１サブモジュールにおける前記第１平均電圧値を上昇させる、請求項１に記載の電力変換システム。
【請求項３】
前記アームに含まれる複数の前記第１サブモジュールの数がｍ（ただし、ｍは２以上の整数）であり、故障した前記１以上の第１サブモジュールの数がｋ（ただし、ｋは１以上の整数であり、ｋ＜ｍ）である場合、前記第１制御装置は、前記アームに含まれる各前記第１サブモジュールの前記第１平均電圧値をｍ／（ｍ−ｋ）倍に上昇させる、請求項２に記載の電力変換システム。
【請求項４】
前記第１交流系統において事故が発生した場合、前記第１制御装置は、前記第１電力変換器に含まれる前記第１サブモジュール内のコンデンサの前記第１平均電圧値を低下させる、請求項２または３に記載の電力変換システム。
【請求項５】
前記第２電力変換器内の複数の前記第２サブモジュールの各々を制御する第２制御装置をさらに備え、
前記第１交流系統において事故が発生した場合、前記第２制御装置は、前記第２電力変換器に含まれる前記第２サブモジュール内のコンデンサの前記第２平均電圧値を低下させる、請求項４に記載の電力変換システム。
【請求項６】
前記第１交流系統と前記第１電力変換器との間に設けられた第１変圧器と、前記第２交流系統と前記第２電力変換器との間に設けられた第２変圧器とをさらに備え、
前記直流回路の絶縁耐力が低下した場合、
前記第１制御装置は、前記第１電力変換器に含まれる前記第１サブモジュール内のコンデンサの前記第１平均電圧値を第１の値だけ低下させ、前記第１変圧器の前記第１交流系統側の電圧が維持されるように前記第１変圧器の変圧比を調整し、
前記第２制御装置は、前記第２電力変換器に含まれる前記第２サブモジュール内のコンデンサの前記第２平均電圧値を第２の値だけ低下させ、前記第２変圧器から前記第２交流系統に出力される電圧が維持されるように前記第２変圧器の変圧比を調整する、請求項５に記載の電力変換システム。
【請求項７】
第１交流系統と直流回路との間で電力変換を行なう第１電力変換器と、
第２交流系統と前記直流回路との間で電力変換を行なう第２電力変換器とを備え、
前記第１電力変換器および前記第２電力変換器の各々は、直列接続された複数のサブモジュールを含み、
前記サブモジュールは、複数のスイッチング素子と、コンデンサとを有し、
前記第１交流系統から要求される力率および皮相電力に基づく、前記第１電力変換器に含まれる第１サブモジュール内のコンデンサの電流実効値は、前記第２交流系統から要求される力率および皮相電力に基づく、前記第２電力変換器に含まれる第２サブモジュール内のコンデンサの電流実効値よりも小さく、
前記第１サブモジュール内のコンデンサの第１平均電圧値は、前記第２サブモジュール内のコンデンサの第２平均電圧値よりも大きく、
前記第１平均電圧値は、前記第２平均電圧値に、前記第２サブモジュール内のコンデンサのリップル電圧と前記第１サブモジュール内のコンデンサのリップル電圧との差分値を加算した値である、電力変換システム。
【請求項８】
前記第１交流系統から要求される力率と、前記第２交流系統から要求される力率とは同一であり、かつ、前記第１交流系統から要求される皮相電力の入出力は、前記第２交流系統から要求される皮相電力の入出力よりも小さい、請求項７に記載の電力変換システム。
【請求項９】
前記第１交流系統から要求される皮相電力の入出力は、前記第２交流系統から要求される皮相電力の入出力と同一であり、かつ、前記第１交流系統から要求される力率は、前記第２交流系統から要求される力率よりも大きい、請求項７に記載の電力変換システム。
【発明の詳細な説明】
【技術分野】
【０００１】
本開示は、電力変換システムに関する。
【背景技術】
【０００２】
複数の単位変換器がカスケード接続されるモジュラーマルチレベル変換器（以下、ＭＭＣ変換器とも称する。）は、単位変換器の数を増加させることによって、高電圧化に容易に対応することができる。「単位変換器」は、「サブモジュール（sub  module）」あるいは「変換器セル」とも称される。ＭＭＣ変換器は、大容量の静止型無効電力補償装置、または高圧直流送電用の電力変換装置として、送配電系統へ広く適用されている。【０００３】
特開２０１２−２２８０２５号公報（特許文献１）では、電源側、または負荷側電圧の基本周波数の周期による直流コンデンサ電圧の変動を抑制することを検討している。
【先行技術文献】
【特許文献】
【０００４】
【特許文献１】特開２０１２−２２８０２５号公報
【発明の概要】
【発明が解決しようとする課題】
【０００５】
ＭＭＣ方式の電力変換器を含む電力変換システムは、例えば、直流送電系統の電力を制御するためのシステムとして用いられる。典型的には、直流回路を介して２つの交流系統間で電力授受が行われるが、これらの交流系統の系統条件（例えば、基本周波数、電力要求）が異なる場合がある。この場合、一方の交流系統に接続される電力変換器と、他方の交流系統に接続される電力変換器とでは必要とされる仕様が異なる。しかし、保守性の観点から両者の電力変換器には、同一の部品（例えば、直流コンデンサ）で構成されるサブモジュールを用いることが好ましい。【０００６】
例えば、両者の交流系統における基本周波数が異なる場合、基本周波数が低い交流系統側における第１直流コンデンサの電圧変動は、基本周波数が高い交流系統側における第２直流コンデンサの電圧変動よりも大きい。そのため、第２直流コンデンサの電圧変動の抑制に必要な静電容量は、第１直流コンデンサの電圧変動の抑制に必要な静電容量よりも小さい。したがって、両者で同一の直流コンデンサを用いる場合には、第１直流コンデンサの電圧変動の抑制に必要な静電容量を採用する必要がある。この場合、第２直流コンデンサの電圧変動は、求められた仕様よりも大きく抑制されるため、最大電圧と耐電圧との偏差（すなわち、マージン）が大きくなってしまい無駄が生じる。特許文献１では、このような課題に対する解決策を何ら教示または示唆するものではない。【０００７】
本開示のある局面における目的は、系統条件が異なる複数の交流系統にそれぞれ接続される複数の電力変換器の保守性を確保しつつ、システム全体のサイズを小さくすることが可能な電力変換システムを提供することである。
【課題を解決するための手段】
【０００８】
ある実施の形態に従う電力変換システムは、第１交流系統と直流回路との間で電力変換を行なう第１電力変換器と、第２交流系統と直流回路との間で電力変換を行なう第２電力変換器とを備える。第１電力変換器および第２電力変換器の各々は、直列接続された複数のサブモジュールを含む。サブモジュールは、複数のスイッチング素子と、コンデンサとを有する。第１交流系統の第１基本周波数は、第２交流系統の第２基本周波数よりも大きい。第１電力変換器に含まれる第１サブモジュール内のコンデンサの第１平均電圧値は、第２電力変換器に含まれる第２サブモジュール内のコンデンサの第２平均電圧値よりも大きい。【０００９】
他の実施の形態に従う電力変換システムは、第１交流系統と直流回路との間で電力変換を行なう第１電力変換器と、第２交流系統と直流回路との間で電力変換を行なう第２電力変換器とを備える。第１電力変換器および第２電力変換器の各々は、直列接続された複数のサブモジュールを含む。サブモジュールは、複数のスイッチング素子と、コンデンサとを有する。第１交流系統から要求される力率および皮相電力に基づく、第１電力変換器に含まれる第１サブモジュール内のコンデンサの電流実効値は、第２交流系統から要求される力率および皮相電力に基づく、第２電力変換器に含まれる第２サブモジュール内のコンデンサの電流実効値よりも小さい。第１サブモジュール内のコンデンサの第１平均電圧値は、第２サブモジュール内のコンデンサの第２平均電圧値よりも大きい。
【発明の効果】
【００１０】
本開示によると、電力変換システムにおいて、系統条件が異なる複数の交流系統にそれぞれ接続される複数の電力変換器の保守性を確保しつつ、システム全体のサイズを小さくすることができる。
【図面の簡単な説明】
【００１１】
【図１】本実施の形態に従う電力変換システムの概略構成図である。
【図２】電力変換器の概略構成図である。
【図３】サブモジュールの一例を示す回路図である。
【図４】コンデンサの電圧変動を説明するための図である。
【図５】本実施の形態に従うコンデンサ電圧の変化を示す図である。
【図６】交流系統の事故前後のコンデンサ電圧の変化を示す図である。
【図７】サブモジュール内の正極側に流れる電流と、負極側に流れる電流との関係を説明するための図である。
【発明を実施するための形態】
【００１２】
以下、図面を参照しつつ、本実施の形態について説明する。以下の説明では、同一の部品には同一の符号を付してある。それらの名称および機能も同じである。したがって、それらについての詳細な説明は繰り返さない。
【００１３】
実施の形態１．
＜システムの全体構成＞
図１は、実施の形態１に従う電力変換システム１００の概略構成図である。図１を参照して、電力変換システム１００は、電力変換装置１０＿１，１０＿２（以下「電力変換装置１０」とも総称する。）と、交流系統１２＿１，１２＿２（以下「交流系統１２」とも総称する。）と、変圧器１３＿１，１３＿２（以下「変圧器１３」とも総称する。）と、直流回路１４とを含む。以下では、交流系統１２、変圧器１３および電力変換装置１０を含むシステムが共通の直流回路１４に２つ接続される構成について説明する。しかし、３つ以上のシステムが直流回路１４に接続される構成であってもよい。
【００１４】
電力変換システム１００では、直流回路１４を介して、交流系統１２＿１と交流系統１２＿２間で電力が送受される。交流系統１２＿１と交流系統１２＿２とは系統条件が互いに異なる３相交流系統である。具体的には、交流系統１２＿１の基本周波数Ｆ１は、交流系統１２＿２の基本周波数Ｆ２よりも高く、例えば、基本周波数Ｆ１，Ｆ２は、それぞれ６０Ｈｚ，５０Ｈｚである。直流回路１４は、直流線路または直流バスである。
【００１５】
電力変換装置１０＿１は、交流系統１２＿１と直流回路１４との間で電力変換を行なう電力変換器２＿１と、制御装置３＿１とを含む。電力変換装置１０＿２は、交流系統１２＿２と直流回路１４との間で電力変換を行なう電力変換器２＿２と、制御装置３＿２とを含む。電力変換器２＿１，２＿２は、ＭＭＣ変換方式の電力変換器によって構成される。制御装置３＿１は、電力変換器２＿１の動作を制御する。制御装置３＿２は、電力変換器２＿２の動作を制御する。以下の説明では、電力変換器２＿１，２＿２を「電力変換器２」とも総称し、制御装置３＿１，３＿２を「制御装置３」とも総称する。
【００１６】
変圧器１３＿１は、交流系統１２＿１と電力変換器２＿１との間に接続される。変圧器１３＿２は、交流系統１２＿２と電力変換器２＿２との間に接続される。
【００１７】
交流系統１２＿１から交流系統１２＿２に電力が送電される場合、電力変換器２＿１は順変換器（ＲＥＣ：Rectifier）として動作し、電力変換器２＿２は逆変換器（ＩＮＶ：Inverter）として動作する。具体的には、電力変換器２＿１により交流電力が直流電力に変換され、この変換された直流電力が直流回路１４を介して直流送電される。受電端において電力変換器２＿２により直流電力が交流電力に変換され、変圧器１３＿２を介して交流系統１２＿２に供給される。電力変換器２＿２が逆変換器として動作し、電力変換器２＿１が順変換器として動作する場合には、上記と逆の変換動作が行われる。
【００１８】
＜電力変換装置の構成＞
図２は、電力変換器２の概略構成図である。図２を参照して、電力変換器２は、互いに直列接続された複数のサブモジュール（図２中の「ＳＭ」に対応）７を含むＭＭＣ変換器によって構成されている。
【００１９】
電力変換器２は、正極直流端子（すなわち、高電位側直流端子）Ｎｐと、負極直流端子（すなわち、低電位側直流端子）Ｎｎとの間に互いに並列に接続された複数のレグ回路４ｕ，４ｖ，４ｗ（以下、総称する場合または任意のものを示す場合、「レグ回路４」と記載する）を含む。
【００２０】
レグ回路４は、交流を構成する複数相の各々に設けられる。レグ回路４は、交流系統１２と直流回路１４との間に接続され、両系統間で電力変換を行なう。電力変換器２には、Ｕ相、Ｖ相、Ｗ相にそれぞれ対応して３個のレグ回路４ｕ，４ｖ，４ｗが設けられる。
【００２１】
レグ回路４ｕ，４ｖ，４ｗにそれぞれ設けられた交流入力端子Ｎｕ，Ｎｖ，Ｎｗは、変圧器１３を介して交流系統１２に接続される。図２では、図解を容易にするために、交流入力端子Ｎｖ，Ｎｗと変圧器１３との接続は図示されていない。各レグ回路４に共通に接続された正極直流端子Ｎｐおよび負極直流端子Ｎｎは、直流回路１４に接続される。
【００２２】
レグ回路４ｕは、正極直流端子Ｎｐから交流入力端子Ｎｕまでの上アーム５と、負極直流端子Ｎｎから交流入力端子Ｎｕまでの下アーム６とを含む。上アーム５と下アーム６との接続点である交流入力端子Ｎｕが変圧器１３と接続される。レグ回路４ｖ，４ｗについても同様の構成を有するので、以下、レグ回路４ｕを代表として説明する。
【００２３】
上アーム５は、カスケード接続された複数のサブモジュール７と、リアクトル８Ａとを含む。当該複数のサブモジュール７およびリアクトル８Ａは互いに直列接続されている。下アーム６は、カスケード接続された複数のサブモジュール７と、リアクトル８Ｂとを含む。当該複数のサブモジュール７およびリアクトル８Ｂは互いに直列接続されている。なお、上アーム５および下アーム６は、リアクトルの代わりに、リアクトル相当のインピーダンスを有する３巻線変圧器を介して交流系統１２と接続されていてもよい。
【００２４】
電力変換システム１００には、制御に使用される電気量（例えば、電流、電圧など）を計測する各検出器が設けられている。例えば、各検出器は、交流電圧検出器１８、交流電流検出器１６、直流電圧検出器１１Ａ，１１Ｂ、各レグ回路４に設けられたアーム電流検出器９Ａ，９Ｂ等である。これらの検出器によって検出された信号は、制御装置３に入力される。
【００２５】
制御装置３は、これらの検出信号に基づいて電力変換器２内の各サブモジュール７の運転状態を制御するための運転指令を出力する。運転指令は、各アーム（例えば、Ｕ相上アーム、Ｕ相下アーム、Ｖ相上アーム、Ｖ相下アーム、Ｗ相上アーム、およびＷ相下アーム）にそれぞれ対応して生成される。また、制御装置３は、各サブモジュール７から各種情報を受信する。各種情報は、サブモジュール７の内部情報であり、サブモジュール７のコンデンサの電圧値、サブモジュール７の状態を示す状態情報等を含む。状態情報は、サブモジュール７が通常動作している通常動作状態か、停止状態かを示す情報、サブモジュール７の故障の有無を示す情報等を含む。
【００２６】
制御装置３は、典型的には、ハードウェア構成として、補助変成器、ＡＤ（Analog  to  Digital）変換部、演算部等を含む。演算部は、ＣＰＵ（Central  Processing  Unit）、ＲＡＭ（Random  Access  Memory）およびＲＯＭ（Read  Only  Memory）を含む。ＡＤ変換部は、アナログフィルタ、サンプルホールド回路、マルチプレクサ等を含む。制御装置３は、例えば、ディジタル保護制御装置で構成されていてもよい。
【００２７】
図１では図解を容易にするために、各検出器から制御装置３に入力される信号の信号線と、制御装置３および各サブモジュール７間で入出力される信号の信号線とは、一部まとめて記載されているが、実際には検出器ごとおよびサブモジュール７ごとに設けられている。各サブモジュール７と制御装置３との間の信号線は、送信用と受信用とが別個に設けられていてもよい。信号線は、たとえば光ファイバによって構成される。
【００２８】
交流電圧検出器１８は、交流系統１２のＵ相の交流電圧Ｖａｃｕ、Ｖ相の交流電圧Ｖａｃｖ、およびＷ相の交流電圧Ｖａｃｗを検出する。交流電流検出器１６は、交流系統１２のＵ相の交流電流Ｉａｃｕ、Ｖ相の交流電流Ｉａｃｖ、およびＷ相の交流電流Ｉａｃｗを検出する。直流電圧検出器１１Ａは、直流回路１４に接続された正極直流端子Ｎｐの直流電圧Ｖｄｃｐを検出する。直流電圧検出器１１Ｂは、直流回路１４に接続された負極直流端子Ｎｎの直流電圧Ｖｄｃｎを検出する。直流電圧Ｖｄｃｐと直流電圧Ｖｄｃｎとの差を直流電圧Ｖｄｃとする。
【００２９】
Ｕ相用のレグ回路４ｕに設けられたアーム電流検出器９Ａおよび９Ｂは、上アーム５に流れるアーム電流Ｉｐｕおよび下アーム６に流れるアーム電流Ｉｎｕをそれぞれ検出する。同様に、Ｖ相用のレグ回路４ｖに設けられたアーム電流検出器９Ａおよび９Ｂは、アーム電流Ｉｐｖおよびアーム電流Ｉｎｖをそれぞれ検出する。Ｗ相用のレグ回路４ｗに設けられたアーム電流検出器９Ａおよび９Ｂは、アーム電流Ｉｐｗおよびアーム電流Ｉｎｗをそれぞれ検出する。以下の説明では、アーム電流Ｉｐｕ，Ｉｎｕ，Ｉｐｖ，Ｉｎｖ，Ｉｐｗ，Ｉｎｗを総称してアーム電流Ｉａｒｍと記載する。
【００３０】
＜サブモジュールの構成＞
図３は、サブモジュールの一例を示す回路図である。図３（ａ）に示すサブモジュール７は、ハーフブリッジ構成と呼ばれる回路構成を有する。このサブモジュール７は、２つのスイッチング素子３１ｐ、３１ｎを直列接続して形成した直列体と、エネルギー蓄積器としてのコンデンサ３２と、電圧検出器３３と、バイパススイッチ３４とを含む。直列体とコンデンサ３２とは並列接続される。電圧検出器３３は、コンデンサ３２の両端の電圧であるコンデンサ電圧Ｖｃを検出する。
【００３１】
図３（ｂ）に示すサブモジュール７は、フルブリッジ構成と呼ばれる回路構成を有する。このサブモジュール７は、２つのスイッチング素子３１ｐ１，３１ｎ１を直列接続して形成された第１の直列体と、２つのスイッチング素子３１ｐ２，３１ｎ２を直列接続して形成された第２の直列体と、コンデンサ３２と、電圧検出器３３とを含む。第１の直列体と、第２の直列体と、コンデンサ３２とが並列接続される。電圧検出器３３は、コンデンサ電圧Ｖｃを検出する。
【００３２】
図３（ａ）における２つのスイッチング素子３１ｐ、３１ｎと、図３（ｂ）における４つのスイッチング素子３１ｐ１、３１ｎ１、３１ｐ２、３１ｎ２とは、例えば、ＩＧＢＴ（Insulated  Gate  Bipolar  Transistor）、ＧＣＴ（Gate  Commutated  Turn-off）サイリスタ、ＭＯＳＦＥＴ（Metal  Oxide  Semiconductor  Field-Effect  Transistor）などの自己消弧型の半導体スイッチング素子に還流ダイオード（ＦＷＤ：Freewheeling  Diode）が逆並列に接続されて構成される。また、図３（ａ）および図３（ｂ）において、コンデンサ３２には、フィルムコンデンサなどのキャパシタが主に用いられる。
【００３３】
以下の説明では、スイッチング素子３１ｐ，３１ｎ，３１ｐ１，３１ｎ１，３１ｐ２，３１ｎ２をスイッチング素子３１とも総称する。また、スイッチング素子３１内の半導体スイッチング素子のオンオフを、単に「スイッチング素子３１のオンオフ」と記載する。
【００３４】
図３（ａ）を参照して、スイッチング素子３１ｎの両端子を入出力端子Ｐ１，Ｐ２とする。スイッチング素子３１ｐ、３１ｎのスイッチング動作によりコンデンサ３２の両端電圧、および零電圧を出力する。例えば、スイッチング素子３１ｐがオン、かつスイッチング素子３１ｎがオフとなったときに、コンデンサ３２の両端電圧が出力される。スイッチング素子３１ｐがオフ、かつスイッチング素子３１ｎがオンとなったときに、零電圧が出力される。図３（ａ）では、スイッチング素子３１ｎの両端子を入出力端子Ｐ１，Ｐ２としたが、スイッチング素子３１ｐの両端子を入出力端子Ｐ１，Ｐ２としてもよく、その場合には、動作が反転する。
【００３５】
バイパススイッチ３４は、入出力端子Ｐ１，Ｐ２間に接続される。図３（ａ）では、バイパススイッチ３４は、スイッチング素子３１ｎと並列に接続される。ただし、スイッチング素子３１ｐの両端子を入出力端子Ｐ１，Ｐ２とする場合には、バイパススイッチ３４は、スイッチング素子３１ｐと並列に接続される。バイパススイッチ３４をオンにすることによって、サブモジュール７が短絡される。バイパススイッチ３４は、サブモジュール７の各素子が故障した場合に、当該サブモジュール７を短絡させる際にも利用される。これにより、複数のサブモジュール７のうちの任意のサブモジュール７が故障しても、他のサブモジュール７を利用することにより電力変換器２の運転継続が可能となる。
【００３６】
次に、図３（ｂ）を参照して、スイッチング素子３１ｐ１とスイッチング素子３１ｎ１との中点と、スイッチング素子３１ｐ２とスイッチング素子３１ｎ２との中点とをサブモジュール７の入出力端子Ｐ１，Ｐ２とする。図３（ｂ）に示すサブモジュール７は、スイッチング素子３１ｎ２を常時オンとし、スイッチング素子３１ｐ２を常時オフとし、スイッチング素子３１ｐ１，３１ｎ１を交互にオン状態とすることによって、正電圧または零電圧を出力する。また、図３（ｂ）に示すサブモジュール７は、スイッチング素子３１ｎ２を常時オフし、スイッチング素子３１ｐ２を常時オンし、スイッチング素子３１ｐ１，３１ｎ１を交互にオン状態にすることによって、零電圧または負電圧を出力することもできる。
【００３７】
バイパススイッチ３４は、入出力端子Ｐ１，Ｐ２間に接続される。なお、バイパススイッチ３４は、スイッチング素子３１ｎ１，３１ｎ２の直列体と並列に接続される。バイパススイッチ３４をオンにすることによって、サブモジュール７が短絡される。
【００３８】
以下の説明では、サブモジュール７を図３（ａ）に示すハーフブリッジセルの構成とし、半導体スイッチング素子、およびエネルギー蓄積要素としてのコンデンサを用いた場合を例に説明する。しかし、サブモジュール７を図３（ｂ）に示すフルブリッジ構成としてもよい。また、上記で示した構成以外のサブモジュール、例えば、図３（ｂ）の各スイッチング素子３１のうちの１つをダイオードのみで置き換えた１．５ハーフブリッジ構成とも呼ばれる回路構成を適用したサブモジュールを用いてもよい。
【００３９】
＜サブモジュールのコンデンサ電圧＞
ＭＭＣ変換器を用いた電力変換器２の出力直流電圧は、正極直流端子Ｎｐと負極直流端子Ｎｎとの間の直流電圧Ｖｄｃである。直流電圧Ｖｄｃは、各レグ回路４を構成しているｊ番目のサブモジュール７ｊの瞬時のコンデンサ電圧Ｖｃｊと、スイッチング状態Ｓｉとの積和で決定される。スイッチング状態Ｓｊは、スイッチング素子３１ｐがオンの場合には“１”、スイッチング素子３１ｐがオフの場合には“０”であるとする。
【００４０】
ここで、説明の容易化のため、アーム間およびアーム内での各サブモジュール７のコンデンサ電圧Ｖｃのバラツキは無視するものとする。コンデンサ電圧Ｖｃの時間平均電圧値をＶａｖ、直流変調率をＭｄｃ、アームあたりの（すなわち、各アームに含まれる）サブモジュール数をｎとすると、以下の式（１）が成立する。この場合、各レグ回路４に含まれるサブモジュール数は２ｎとなる。
【００４１】
Ｖｄｃ＝Σ（Ｖｃｊ×Ｓｊ）＝Ｖａｖ×２ｎ×Ｍｄｃ  …（１）
上述した式（１）より、直流変調率Ｍｄｃを一定（典型的には、０．５）にするとサブモジュール数ｎは、Ｖｄｃ／Ｖａｖに比例するため、平均電圧値Ｖａｖを大きくするとサブモジュール数ｎを削減できる。
【００４２】
なお、時間平均電圧値Ｖａｖ（以下、単に「平均電圧値Ｖａｖ」とも称する。）は、アーム内の各サブモジュール７ｊの瞬時のコンデンサ電圧Ｖｃｊの総和をサブモジュール数ｎで除算することにより求められ、以下の式（２）で表される。式（２）中の記号“＜＞”は、時間平均を表わしている。
【００４３】
Ｖａｖ＝＜（ΣＶｃｊ）／ｎ＞  …（２）
制御装置３は、通常の電力変換動作（すなわち、通常動作）の際には、アーム内の各サブモジュール７のコンデンサ電圧Ｖｃの時間平均電圧値が、式（２）で示される値Ｖａｖとなるように、当該アーム内の各サブモジュール７を制御する。
【００４４】
しかしながら、電力変換器２では、サブモジュール７に搭載されたコンデンサ３２に基本周波数成分が主体の交流成分を有する電流が流れ込むため、実際にはコンデンサ３２においてリップル電圧が生じ、コンデンサ電圧Ｖｃは平均電圧値Ｖａｖを中心に変動する。
【００４５】
図４は、コンデンサの電圧変動を説明するための図である。図４を参照して、波形２１０は、電力変換器２＿１のサブモジュール７に搭載されたコンデンサ３２（以下「コンデンサ３２＿１」とも称する。）のコンデンサ電圧Ｖｃ１の時間変化を示している。波形２２０は、電力変換器２＿２のサブモジュール７に搭載されたコンデンサ３２（以下「コンデンサ３２＿２」とも称する。）のコンデンサ電圧Ｖｃ２の時間変化を示している。なお、各コンデンサ３２＿１，３２＿２は、同一定格（例えば、静電容量、耐圧等が同一）のコンデンサで構成される。
【００４６】
図４の例では、電力変換器２＿１の各アームに含まれるサブモジュール数ｎ１と、電力変換器２＿２の各アームに含まれるサブモジュール数ｎ２とは同一であるとする。また、電力変換器２＿１と電力変換器２＿２とは共通の直流回路１４に接続されている。そのため、式（１）より、コンデンサ電圧Ｖｃ１の平均電圧値Ｖａｖ１と、コンデンサ電圧Ｖｃ２の平均電圧値Ｖａｖ２とは同一となる。
【００４７】
ここで、コンデンサに生じるリップル電圧Ｖｒｐは、コンデンサの静電容量をＣ、基本周波数をＦ、コンデンサに流れる電流をＩｃａｐとすると、以下の式（３）のような関係を有する。
【００４８】
Ｖｒｐ∝（１／Ｃ）×（１／Ｆ）×Ｉｃａｐ  …（３）
実施の形態１では、交流系統１２＿１の基本周波数Ｆ１が６０Ｈｚであり、交流系統１２＿２の基本周波数Ｆ２が５０Ｈｚである。そのため、交流系統１２＿１に接続された電力変換器２＿１内のコンデンサ３２＿１のリップル電圧Ｖｒｐ１は、交流系統１２＿２に接続された電力変換器２＿２内のコンデンサ３２＿２のリップル電圧Ｖｒｐ２よりも小さくなる。なお、リップル電圧Ｖｒｐ１は、コンデンサ電圧Ｖｃ１の最大電圧値Ｖｍａｘ１と平均電圧値Ｖａｖ１との差分である。リップル電圧Ｖｒｐ２は、コンデンサ電圧Ｖｃ２の最大電圧値Ｖｍａｘ２と平均電圧値Ｖａｖ２との差分である。ここで、同一部品で構成された各コンデンサ３２＿１，３２＿２の静電容量は同一である。電流Ｉｃａｐが同一であるとすると、リップル電圧Ｖｒｐ１は、リップル電圧Ｖｒｐ２の５／６倍となる。
【００４９】
また、コンデンサ３２＿１，３２＿２は同一部品で構成されるため、その耐電圧はＶоｖで同一である。そのため、コンデンサ３２＿１における電圧マージンＶｇ１（＝Ｖоｖ−Ｖｍａｘ１）は、コンデンサ３２＿２における電圧マージンＶｇ２（＝Ｖоｖ−Ｖｍａｘ２）よりも大きい。
【００５０】
コンデンサ３２＿１，３２＿２の両者に同一のコンデンサを適用する場合には、より大きいリップル電圧Ｖｒｐ２を基準として仕様を満たすように（すなわち、電圧マージンＶｇ２が基準マージン以上となるように）静電容量Ｃが決定される。この場合、コンデンサ３２＿１の電圧マージンＶｇ１は、仕様を満たすものの、過大なマージンであることが理解される。具体的には、コンデンサ３２＿１では、リップル電圧Ｖｒｐ２とリップル電圧Ｖｒｐ１との差分値Ｖｄｉ（＝Ｖｒｐ２−Ｖｒｐ１）だけ余分に電圧マージンを取っていることになる。
【００５１】
実施の形態１では、この差分値Ｖｄｉを利用して、コンデンサ３２＿１の平均電圧値を調整して、高周波数側の交流系統１２＿１側に接続された電力変換器２＿１に含まれるサブモジュール数を低減する。これにより、電力変換システム全体のサイズを小さくする。
【００５２】
図５は、実施の形態１に従うコンデンサ電圧の変化を示す図である。図５を参照して、波形２１０Ａは、コンデンサ３２＿１のコンデンサ電圧Ｖｃ１の時間変化を示している。波形２１０Ａは、図４の波形２１０に差分値Ｖｄｉを加算したものであるため、図５に示すコンデンサ電圧Ｖｃ１の平均電圧値Ｖａｖ１＊は、図４で示す平均電圧値Ｖａｖ１と比較して、差分値Ｖｄｉだけ大きい。一方、コンデンサ３２＿２のコンデンサ電圧Ｖｃ２の平均電圧値Ｖａｖ２は、図４の平均電圧値Ｖａｖ２（＝Ｖａｖ１）と同一である。そのため、平均電圧値Ｖａｖ１＊は、平均電圧値Ｖａｖ２よりも差分値Ｖｄｉだけ大きいことが理解される。換言すると、平均電圧値Ｖａｖ１＊は、平均電圧値Ｖａｖ２に差分値Ｖｄｉを加算した値である。
【００５３】
上述した式（１）で示すように、コンデンサの平均電圧値Ｖａｖは、各アーム当たりのサブモジュール数ｎに応じて変化する。ここで、コンデンサ３２＿１の平均電圧値Ｖａｖ１に対する平均電圧値Ｖａｖ１＊の変化率をＸ％とすると、以下の式（４）が成立する。
【００５４】
Ｘ＝（（Ｖａｖ１＊−Ｖａｖ１）／Ｖａｖ１）×１００  …（４）
式（１）の直流電圧Ｖｄｃは変化しないため、平均電圧値ＶａｖがＸ％増大した場合には、サブモジュール数ｎはＸ％だけ低減されることが理解される。したがって、図５の例の場合、電力変換器２＿１の各アームに含まれるサブモジュール数ｎ１＊は、図４の例の場合のサブモジュール数ｎ１よりもＹ（＝ｎ１×Ｘ／１００）個だけ少ない。
【００５５】
本実施の形態では、電力変換装置１０＿１に含まれる電力変換器２＿１の各相あたりのサブモジュール数がｎ１＊に設定される。制御装置３＿１は、通常動作の際には、電力変換器２＿１のアームに含まれる各サブモジュール７のコンデンサ電圧Ｖｃの時間平均電圧値が平均電圧値Ｖａｖ１＊となるように、当該アームの各サブモジュール７を制御する。一方、電力変換装置１０＿２に含まれる電力変換器２＿２の各相あたりのサブモジュール数はｎ２に設定される。制御装置３＿２は、通常動作の際には、電力変換器２＿２のアームに含まれる各サブモジュール７のコンデンサ電圧Ｖｃの時間平均電圧値が平均電圧値Ｖａｖ２となるように、当該アーム内の各サブモジュール７を制御する。これにより、図５に示すように、コンデンサ３２＿１，３２＿２のコンデンサ電圧Ｖｃ１，Ｖｃ２が変化する。
【００５６】
図５の例の場合、コンデンサ電圧Ｖｃ１の最大電圧値Ｖｍａｘ１＊が、コンデンサ電圧Ｖｃ２の最大電圧値Ｖｍａｘ２と同一となるため、コンデンサ３２＿１の電圧マージンＶｇ１＊は、コンデンサ３２＿２の電圧マージンＶｇ２と同一となる。そのため、コンデンサ３２＿１の電圧マージンＶｇ１＊は、仕様を満たす電圧マージンを確保しつつ、余分な電圧マージンを含んでいないことが理解される。
【００５７】
上記のように、実施の形態１では、基本周波数が異なる交流系統１２＿１，１２＿２にそれぞれ接続される電力変換器２＿１，２＿２内のサブモジュール７を同一とし、それによって生じるコンデンサ３２＿１，３２＿２のリップル電圧の差分値Ｖｄｉを利用して、電力変換器２＿１のサブモジュール数を低減できる。したがって、各電力変換器２＿１，２＿２の保守性を確保しつつ、電力変換器２＿１のサイズを小さくでき、結果として、電力変換システム全体のサイズを小さくできる。
【００５８】
＜サブモジュールの故障時＞
サブモジュール７が故障した場合の平均電圧値Ｖａｖの調整方法について説明する。
【００５９】
制御装置３は、各サブモジュール７の状態情報として、サブモジュール７の健全状態を示す健全判定信号を受信する。サブモジュール７が健全な状態の場合には健全判定信号は“１”となり、サブモジュール７が故障状態の場合には健全判定信号は“０”となる。サブモジュール７の故障とは、素子故障に限られずサブモジュール７が制御装置３の指令通りに動作しなくなることである。例えば、サブモジュール７の故障には、スイッチング素子の故障、ゲートドライバの故障、キャパシタの破損、ブスバーの破損、通信異常等が含まれる。
【００６０】
制御装置３は、各アーム（例えば、Ｕ相上アーム、Ｕ相下アーム、Ｖ相上アーム、Ｖ相下アーム、Ｗ相上アーム、およびＷ相下アーム）に対応する運転指令を出力することにより、アームごとに制御する。そのため、制御装置３は、故障したサブモジュール７を含むアームについて、故障対応のための各種制御を行なう。
【００６１】
ここで、Ｕ相のレグ回路４ｕ内のサブモジュール数を２ｍ（ただし、ｍは２以上の整数）個とし、Ｕ相上アームのサブモジュール数をｍ個とし、Ｕ相下アームのサブモジュール数をｍ個とする。例えば、制御装置３は、Ｕ相上アームのｍ個のサブモジュール７のうち、ｋ（ただし、ｋは１以上の整数であり、ｋ＜ｍ）個のサブモジュール７＿ｉから受けた健全判定信号が“０”である場合、各サブモジュール７＿ｉの故障を検出する。制御装置３は、各サブモジュール７＿ｉのバイパススイッチ３４をオンにすることによって、故障が生じた各サブモジュール７＿ｉをバイパスする。
【００６２】
次に、制御装置３は、故障したサブモジュール７＿ｉの数（すなわち、ｋ個）に基づいて、Ｕ相上アームに含まれる各サブモジュール７における平均電圧値Ｖａｖを上昇させる。具体的には、制御装置３は、当該平均電圧値Ｖａｖをｍ／（ｍ−ｋ）倍に上昇させる。すなわち、（故障後の平均電圧値Ｖａｖ）／（故障前の平均電圧値Ｖａｖ）＝ｍ／（ｍ−ｋ）となる。この場合、制御装置３は、Ｕ相上アーム内の健全な（ｍ−ｋ）個のサブモジュール７のコンデンサ電圧Ｖｃの時間平均電圧値が上昇後の平均電圧値Ｖａｖとなるように、（ｍ−ｋ）個のサブモジュール７を制御する。これにより、故障前にｋ個のサブモジュール７による電圧出力分を、残りの健全な（ｍ−ｋ）個のサブモジュール７により補うことができる。
【００６３】
＜交流系統の事故発生時＞
交流系統１２において事故が発生した場合の平均電圧値Ｖａｖの調整方法について説明する。ここでは、交流系統１２＿１で事故が発生したものとする。ただし、この事故は、発生してから一定時間後に除去される一過性の事故であるとする。
【００６４】
図６は、交流系統の事故前後のコンデンサ電圧の変化を示す図である。図６を参照して、波形２５０は、コンデンサ３２＿１の平均電圧値Ｖａｖ１＊を示している。ここでは、事故発生前の平均電圧値Ｖａｖ１＊を便宜上“Ｖ０”と記載する。平均電圧値Ｖ０は、図５中の平均電圧値Ｖａｖ１＊と同じである。波形２６０は、コンデンサ３２＿１の電圧変動分（すなわち、リップル電圧Ｖｒｐ１）を含むコンデンサ電圧Ｖｃ１を示している。
【００６５】
時刻ｔ１で交流系統１２＿１の事故が発生し、制御装置３＿１は、当該事故を検出する。例えば、制御装置３＿１は、アーム電流検出器９Ａ，９Ｂにより検出された各アーム電流Ｉｐｕ，Ｉｐｖ，Ｉｐｗ，Ｉｎｕ，Ｉｎｖ，Ｉｎｗの絶対値の少なくとも１つが閾値Ｔｈ１を超えている場合、あるいは、アーム電流の各相合計値が閾値Ｔｈ２を超えている場合に、交流系統１２＿１に事故が発生したと判定する。また、制御装置３＿１は、交流電圧検出器１８により検出された各交流電圧のいずれかが閾値Ｔｈ３を上回った（または、下回った）場合に事故が発生したと判定してもよい。
【００６６】
制御装置３＿１は、時刻ｔ０から時刻ｔ１に到達するまでは、アーム内の各サブモジュール７のコンデンサ電圧Ｖｃの時間平均電圧値が平均電圧値Ｖ０となるように各サブモジュール７を制御している。しかし、制御装置３＿１は、時刻ｔ１において事故を検出すると、アーム内の各サブモジュール７のコンデンサ電圧Ｖｃの時間平均電圧値が平均電圧値Ｖ０から基準値Ｄ１を減算した値（すなわち、Ｖ０−Ｄ１）となるように各サブモジュール７を制御する。これにより、制御装置３＿１は、平均電圧値Ｖａｖ１＊を低下させる。
【００６７】
時刻ｔ２に到達して事故が除去されると、交流系統１２＿１から電力変換器２＿１に電流が流れ込むため、コンデンサ電圧Ｖｃ１が急激に増大する。本実施の形態では、事故が発生した時点で、制御装置３＿１がコンデンサ電圧Ｖｃ１を意図的に低下させているため、事故除去後のコンデンサ電圧Ｖｃ１が耐電圧Ｖоｖを超える事態を未然に防止することができる。
【００６８】
交流系統１２＿２で事故が発生した場合には、制御装置３＿２が、上記の制御装置３＿１と同様の動作を実行する。具体的には、制御装置３＿２は、交流系統１２＿２の事故を検出すると、アーム内の各サブモジュール７のコンデンサ電圧Ｖｃの時間平均電圧値が、事故発生前の平均電圧値から基準値Ｄ２を減算した値となるように各サブモジュール７を制御する。基準値Ｄ２は基準値Ｄ１と同一であってもよい。これにより、制御装置３＿２は、平均電圧値Ｖａｖ２を低下させる。
【００６９】
なお、交流系統１２＿１で事故が発生した場合にも、制御装置３＿２は、平均電圧値Ｖａｖ２を低下させてもよい。この場合、制御装置３＿２は、制御装置３＿１（あるいは、他の上位装置）から交流系統１２＿１で事故が発生したことを示す情報を受信する。制御装置３＿２は、当該情報を受信した後、平均電圧値Ｖａｖ２を低下させる。これにより、交流系統１２＿１の事故が、電力変換器２＿２内のサブモジュール７のコンデンサ電圧Ｖｃ２に影響し得る場合であっても、コンデンサ電圧Ｖｃ２が耐電圧Ｖоｖを超える事態を防止できる。
【００７０】
＜直流回路の絶縁耐力の低下時＞
直流回路１４の絶縁耐力が低下している場合の平均電圧値Ｖａｖの調整方法について説明する。ここでは、直流回路１４が直流送電線であるとし、当該直流送電線に塩分を含む雪などが付着して、直流回路１４の絶縁耐力が低下した場合を想定する。
【００７１】
変圧器１３＿１，１３＿２は、変圧比可変の変圧器とする。変圧比可変の変圧器は、例えば、タップ切替機能付き変圧器などで実現される。また、制御装置３は、変圧器１３と通信可能に構成されており、変圧比の変更指示等の各種指令を変圧器１３へ送信する。
【００７２】
系統運用者は、直流回路１４の絶縁耐力が低下していると判断した場合、制御装置３＿１，３＿２に対して、直流回路１４の絶縁耐力の低下を示す情報を入力する。ここで、直流回路１４の直流電圧ＶｄｃをΔＶｄｃだけ低下させるものとする。
【００７３】
この場合、制御装置３＿１は、電力変換器２＿１に含まれるサブモジュール７内のコンデンサ３２＿１の平均電圧値Ｖａｖ１＊をΔＶａｖ１＊だけ低下させる。同様に、制御装置３＿２は、電力変換器２＿２に含まれるサブモジュール７内のコンデンサ３２＿２の平均電圧値Ｖａｖ２をΔＶａｖ２だけ低下させる。電力変換器２＿１の各アームに含まれるサブモジュール数はｎ１＊であるため、式（１）の関係から、ΔＶａｖ１＊＝ΔＶｄｃ／（Ｍｄｃ×２ｎ１＊）である。電力変換器２＿２のレグ回路４に含まれるサブモジュール数はｎ２であるため、式（１）の関係から、ΔＶａｖ２＝ΔＶｄｃ／（Ｍｄｃ×２ｎ２）である。
【００７４】
直流電圧ＶｄｃをΔＶｄｃだけ低下させる一方で、交流系統１２＿１，１２＿２の電圧は維持する必要がある。ここで、変圧器１３＿１の一次側（すなわち、交流系統１２＿１側）の交流電圧をＶ１＿１とする。また、直流電圧Ｖｄｃの低下前における変圧器１３＿１の二次側（すなわち、電力変換器２＿１側）の交流電圧をＶ２＿１とし、低下後における変圧器１３＿１の二次側の交流電圧をＶ２＿１＊とする。
【００７５】
この場合、制御装置３＿１は、変圧器１３＿１の一次側の交流電圧Ｖ１＿１が維持されるように、変圧器１３＿１の変圧比α１を調整する。具体的には、制御装置３＿１は、変圧比α１を（Ｖ２＿１）／（Ｖ１＿１）から、（Ｖ２＿１＊）／（Ｖ１＿１）に変更するように変圧器１３＿１へ指示する。
【００７６】
同様に、変圧器１３＿２の一次側（すなわち、交流系統１２＿２側）の交流電圧をＶ１＿２とし、直流電圧Ｖｄｃの低下前における変圧器１３＿２の二次側（すなわち、電力変換器２＿２側）の交流電圧をＶ２＿２とし、低下後における変圧器１３＿２の二次側の交流電圧をＶ２＿２＊とする。この場合、制御装置３＿２は、変圧器１３＿２の一次側の交流電圧Ｖ１＿２が維持されるように、変圧器１３＿２の変圧比α２を調整する。具体的には、制御装置３＿２は、変圧比α２を（Ｖ２＿２）／（Ｖ１＿２）から、（Ｖ２＿２＊）／（Ｖ１＿２）に変更するように変圧器１３＿２へ指示する。
【００７７】
これにより、直流回路１４の絶縁耐力が低下した場合、直流電圧Ｖｄｃを低下させることで直流回路１４の損傷を防止できるとともに、交流系統１２側の電圧を維持することができる。
【００７８】
実施の形態２．
実施の形態１では、複数の交流系統１２＿１，１２＿２の基本周波数が互いに異なる場合について説明した。実施の形態２では、複数の交流系統１２＿１，１２＿２からの電力要求が互いに異なる場合について説明する。
【００７９】
上述した式（３）によると、コンデンサに流れる電流Ｉｃａｐに比例して、リップル電圧は大きくなる。同一部品で構成された各コンデンサ３２＿１，３２＿２の静電容量は同一であるため、交流系統１２＿１の基本周波数Ｆ１と、交流系統１２＿２の基本周波数Ｆ２とが同一である場合、電流Ｉｃａｐが大きいほどリップル電圧Ｖｒｐが大きくなる。実施の形態２では、交流系統１２＿１，１２＿１からの電力要求の差異によって生じる、電力変換器２＿１，２＿２内のコンデンサに流れる電流Ｉｃａｐの差異に着目する。ここでは、電力変換器２＿１，２＿２は、それぞれ交流系統１２＿１，１２＿２からの電力要求を達成するように動作するものとする。
【００８０】
電力変換器２内を流れるアーム電流Ｉａｒｍは、サブモジュール７の正極側（すなわち、スイッチング素子３１ｐ側）および負極側（すなわち、スイッチング素子３１ｎ側）にそれぞれ流れる。以下では、スイッチング素子３１ｐ，３１ｎの半導体スイッチング素子がＩＧＢＴであるとして説明する。
【００８１】
正極側に流れる電流Ｉｓｐは、スイッチング素子３１ｐのＩＧＢＴに流れる電流と、スイッチング素子３１ｐのＦＷＤに流れる電流との加算電流である。この加算電流が、コンデンサ３２に流れる電流Ｉｃａｐとなる。一方、負極側に流れる電流Ｉｓｎは、スイッチング素子３１ｎのＩＧＢＴに流れる電流と、スイッチング素子３１ｎのＦＷＤに流れる電流との加算電流である。なお、スイッチング素子３１ｐ，３１ｎにおいて、ＦＷＤに流れる電流はＩＧＢＴと逆方向に流れる。
【００８２】
電流Ｉｓｐ（すなわち、電流Ｉｃａｐ）と、電流Ｉｓｎとの電流分担比率は、交流系統１２の力率（ＰＦ：power  factor）に依存して変化する。なお、アーム電流Ｉａｒｍは、電流Ｉｓｐおよび電流Ｉｓｎを加えたものであり、実効値表現するとＩａｒｍ＝（Ｉｓｐ２＋Ｉｓｎ２）１／２である。電流Ｉｓｐの正方向は、図３において入出力端子Ｐ１からスイッチング素子３１ｐ１への方向に対応し、電流Ｉｓｎの正方向は、入出力端子Ｐ１からスイッチング素子３１ｎ１への方向に対応する。
【００８３】
図７は、サブモジュール内の正極側に流れる電流Ｉｓｐと、負極側に流れる電流Ｉｓｎとの関係を説明するための図である。図７の縦軸は電流Ｉｓｐ（＝Ｉｃａｐ）の実効値を示しており、横軸は電流Ｉｓｎの実効値を示している。直線３０２は、電流Ｉｓｐ＝電流Ｉｓｎを満たす直線である。直線３０４，３０６，３０８は、それぞれ交流系統１２の力率が０，０．９５，１．００の場合の電流Ｉｓｐと電流Ｉｓｎとの関係を示す直線である。また、直線３０４，３０６，３０８上のそれぞれの点３５４，３５６，３５８におけるアーム電流Ｉａｒｍの電流実効値｛＝（Ｉｓｐ２＋Ｉｓｎ２）１／２｝は、同一である。曲線３６２は、アーム電流Ｉａｒｍの電流実効値が同一である各点を示す。
【００８４】
直線３０４〜３０８によると、電力変換器２の交流出力での力率が大きいほど負極側に偏って電流が流れ、電流Ｉｓｎが大きく、電流Ｉｓｐが小さくなる。一方、力率が小さいほど、電流Ｉｓｐ（すなわち、電流Ｉｃａｐ）が大きくなる。また、力率が一定である場合には、アーム電流Ｉａｒｍが大きいほど電流Ｉｃａｐは大きくなる。なお、アーム電流Ｉａｒｍの大きさは、電力変換器２と交流系統１２との間で入出力される皮相電力の大きさに比例するため、力率が一定である場合には、入出力される皮相電力が大きいほど電流Ｉｃａｐは大きくなるとも言える。なお、電力変換器２へ入力される入力皮相電力と、電力変換器２から出力される出力皮相電力とが異なる場合には、電流Ｉｃａｐの大きさは、入力皮相電力および出力皮相電力のうちの大きい方の皮相電力に依存する。
【００８５】
したがって、交流系統１２＿１，１２＿２の電力要求（例えば、皮相電力の入出力要求、要求力率）が異なる場合、電力変換器２＿１，２＿２内のコンデンサ３２に流れる電流Ｉｃａｐの大きさが異なり、その結果、コンデンサ３２のリップル電圧の大きさが異なることになる。なお、図７を参照することで、交流系統１２から要求される力率および皮相電力に基づく電流Ｉｃａｐを求めることができる。
【００８６】
ここで、交流系統１２＿１から要求される力率と、交流系統１２＿２から要求される力率とが同一である場合を想定する。このとき、交流系統１２＿１から要求される皮相電力の入出力が、交流系統１２＿２から要求される皮相電力の入出力よりも小さい場合には、電力変換器２＿１内のコンデンサ３２＿１に流れる電流Ｉｃａｐ１の方が、電力変換器２＿２内のコンデンサ３２＿２に流れる電流Ｉｃａｐ２よりも小さくなる。
【００８７】
そのため、コンデンサ３２＿１のリップル電圧Ｖｒｐ１は、コンデンサ３２＿２のリップル電圧Ｖｒｐ２よりも小さい。したがって、実施の形態１の図５で説明したように、コンデンサ３２＿１のコンデンサ電圧Ｖｃ１の平均電圧値を、コンデンサ３２＿２のコンデンサ電圧Ｖｃ２の平均電圧値よりも差分値Ｖｄｉ（＝Ｖｒｐ２−Ｖｒｐ１）だけ大きくすることで、電力変換器２＿１のサブモジュール数を低減できる。
【００８８】
次に、交流系統１２＿１から要求される皮相電力の入出力が、交流系統１２＿２から要求される皮相電力の入出力と同一である場合を想定する。このとき、交流系統１２＿１から要求される力率の方が、交流系統１２＿２から要求される力率よりも大きい場合には、電力変換器２＿１内のコンデンサ３２＿１に流れる電流Ｉｃａｐ１の方が、電力変換器２＿２内のコンデンサ３２＿２に流れる電流Ｉｃａｐ２よりも小さくなる。そのため、コンデンサ３２＿１のリップル電圧Ｖｒｐ１は、コンデンサ３２＿２のリップル電圧Ｖｒｐ２よりも小さい。したがって、コンデンサ３２＿１のコンデンサ電圧Ｖｃ１の平均電圧値を、コンデンサ３２＿２のコンデンサ電圧Ｖｃ２の平均電圧値よりも差分値Ｖｄｉだけ大きくすることで、電力変換器２＿１のサブモジュール数を低減できる。
【００８９】
上記の例では、２つの交流系統１２＿１と交流系統１２＿２との間で、要求される力率が同一の場合と、要求される皮相電力の入出力が同一の場合について説明した。しかし、交流系統１２＿１と交流系統１２＿２との間で、要求される力率および皮相電力の入出力がいずれも異なる場合であってもよい。例えば、図７の点３７１が、交流系統１２＿１から要求される力率および皮相電力の入出力に基づく電流値（Ｉｓｎ１，Ｉｃａｐ１）に対応し、点３７２が、交流系統１２＿２から要求される力率および皮相電力に基づく電流値（Ｉｓｎ２，Ｉｃａｐ２）に対応するものとする。点３７１と点３７２との位置関係から、交流系統１２＿１から要求される力率の方が交流系統１２＿２から要求される力率よりも小さく、交流系統１２＿１から要求される皮相電力の入出力の方が交流系統１２＿２から要求される皮相電力の入出力よりも小さい。
【００９０】
図７を参照すると、点３７１における電流Ｉｃａｐ１の方が、点３７２における電流Ｉｃａｐ２よりも小さい。そのため、コンデンサ３２＿１のリップル電圧Ｖｒｐ１は、コンデンサ３２＿２のリップル電圧Ｖｒｐ２よりも小さい。したがって、コンデンサ３２＿１のコンデンサ電圧Ｖｃ１の平均電圧値を、コンデンサ３２＿２のコンデンサ電圧Ｖｃ２の平均電圧値よりも差分値Ｖｄｉだけ大きくすることで、電力変換器２＿１のサブモジュール数を低減できる。
【００９１】
上記のように、交流系統１２＿１から要求される力率および皮相電力に基づく、電力変換器２＿１内のコンデンサ３２＿１の電流（すなわち、電流Ｉｃａｐ１）の実効値と、交流系統１２＿２から要求される力率および皮相電力に基づく、電力変換器２＿２内のコンデンサ３２＿２の電流（すなわち、電流Ｉｃａｐ２）の実効値とが比較される。そして、例えば、電流Ｉｃａｐ１が電流Ｉｃａｐ２よりも小さい場合には、リップル電圧Ｖｒｐ１がリップル電圧Ｖｒｐ２よりも小さくなるため、電力変換器２＿１のサブモジュール数を低減できる。
【００９２】
上記の例では、電力要求が異なる交流系統１２＿１，１２＿２にそれぞれ接続される電力変換器２＿１，２＿２内のサブモジュール７を同一とし、それによって生じるコンデンサ３２＿１，３２＿２のリップル電圧の差分値Ｖｄｉを利用して、電力変換器２＿１のサブモジュール数を低減できる。したがって、実施の形態２においても、各電力変換器２＿１，２＿２の保守性を確保しつつ、一方の電力変換器のサイズを小さくでき、結果として、電力変換システム全体のサイズを小さくできる。
【００９３】
その他の実施の形態．
実施の形態１では、＜サブモジュールの故障時＞、＜交流系統の事故発生時＞および＜直流回路の絶縁耐力の低下時＞の各々の場合における平均電圧値Ｖａｖの調整方法について説明したが、実施の形態２でも同様に、各々の場合における平均電圧値Ｖａｖの調整方法を採用することができる。
【００９４】
上述の実施の形態として例示した構成は、本開示の構成の一例であり、別の公知の技術と組み合わせることも可能であるし、本開示の要旨を逸脱しない範囲で、一部を省略する等、変更して構成することも可能である。また、上述した実施の形態において、他の実施の形態で説明した処理および構成を適宜採用して実施する場合であってもよい。
【００９５】
今回開示された実施の形態はすべての点で例示であって制限的なものではないと考えられるべきである。本開示の範囲は、上記した説明ではなく、請求の範囲によって示され、請求の範囲と均等の意味および範囲内でのすべての変更が含まれることが意図される。
【符号の説明】
【００９６】
２  電力変換器、３  制御装置、４ｕ，４ｖ，４ｗ  レグ回路、５  上アーム、６  下アーム、７  サブモジュール、８Ａ，８Ｂ  リアクトル、９Ａ，９Ｂ  検出器、１０  電力変換装置、１１Ａ，１１Ｂ  直流電圧検出器、１２  交流系統、１３  変圧器、１４  直流回路、１６  交流電流検出器、１８  交流電圧検出器、３１ｎ，３１ｎ１，３１ｎ２，３１ｐ，３１ｐ１，３１ｐ２  スイッチング素子、３２  コンデンサ、３３  電圧検出器、３４  バイパススイッチ、１００  電力変換システム。
【要約】
電力変換システム（１００）は、第１交流系統（１２＿１）と直流回路（１４）との間で電力変換を行なう第１電力変換器（２＿１）と、第２交流系統（１２＿２）と直流回路（１４）との間で電力変換を行なう第２電力変換器（２＿２）とを備える。第１電力変換器（２＿１）および第２電力変換器（２＿２）の各々は、直列接続された複数のサブモジュール（７）を含む。サブモジュール（７）は、複数のスイッチング素子（３１）と、コンデンサ（３２）とを有する。第１交流系統（１２＿１）の第１基本周波数は、第２交流系統（１２＿２）の第２基本周波数よりも大きい。第１電力変換器（２＿１）に含まれる第１サブモジュール（７）内のコンデンサ（３２）の第１平均電圧値は、第２電力変換器（２＿２）に含まれる第２サブモジュール（７）内のコンデンサ（３２）の第２平均電圧値よりも大きい。【図１】
0006847322.tif 000002
【図２】
0006847322.tif 000003
【図３】
0006847322.tif 000004
【図４】
0006847322.tif 000005
【図５】
0006847322.tif 000006
【図６】
0006847322.tif 000007
【図７】
0006847322.tif 000008